(57)【要約】【課題】紫外線ランプを用いた軽量、且つ、頑丈で、さらに、安全に使用することのできるコンパクトタイプのハンディ型除菌器を提供すること。【解決手段】スライド式ゲージで紫外線ランプをカバーしたハンディ型除菌器を使用する際、被殺菌対象と近接させすぎると、人感（温度）センサーの働きで、電源ＯＦＦにすることができ、また、紫外線ランプの照射時間を長くしすぎたりして、低温火傷おこしそうなとき、時限タイマーの働きで電源ＯＦＦにすることができて、火傷を防ぐこともできる、より安全に使用することのできるハンディ型除菌器である。【選択図】図１
2017176291.tif 000002
【特許請求の範囲】
【請求項１】
紫外線ランプを用いた軽量、且つ、頑丈、さらに、安全に使用することのできることを特徴とするハンディ携帯型除菌器。
【請求項２】
紫外線ランプ付帯する側に人感（温度）センサーにより近づけ過ぎたとき、電源OFFにすることを特徴とする請求項１に記載のハンディ携帯型除菌器。
【請求項３】
時限タイマーの働きで、電源ＯＦＦにすることができ、火傷を防ぐことができることを特徴とする請求項１又は２に記載のハンディ携帯型除菌器。
【発明の詳細な説明】
【技術分野】
【０００１】
本発明は、紫外線ランプを用いた軽量、且つ、頑丈で、さらに、安全に使用することのできるコンパクトタイプのハンディ型除菌器に関するものである。
【背景技術】
【０００２】
紫外線治療器や紫外線ランプ付帯ハンドドライヤー等を使用する際、一定の場所に設置したり、アース線工事や漏電遮断工事の必要があって、手や除菌したいものを設置した前記機器に差し出さなければならなかった。
かかる問題点を解決するため、下記参考文献に開示されているハンディ（携帯）型紫外線ランプによる除菌法が公知である。前記紫外線ランプは、手で把持できる大きさであり且つ開閉自在の開口部を有する筐体と、その中に内装された紫外線ランプからなり、使用時には筐体の開口部を開け、これに外部の被殺菌対象を近接させて、該被殺菌対象に紫外線ランプを照射し適宜動かすことにより殺菌を行うものであるが、被殺菌対象と近接させすぎたり、紫外線ランプの照射時間を短すぎたり、長くしすぎたりして、低温火傷したり、効果が見られなかったりする。
本発明は、紫外線ランプを用いた軽量、且つ、頑丈で、さらに、人感（熱）センサーやタイマーにより安全に使用することのできるコンパクトタイプのハンディ型除菌器である。
【先行技術文献】
【特許文献】
【０００３】
【特許文献１】意登１０９０６１９
【発明の概要】
【発明が解決しようとする課題】
【０００４】
前記にあるように、紫外線ランプを外部の被殺菌対象と近接させすぎたり、紫外線ランプの照射時間を短すぎたり、長くしすぎたりして、低温火傷したり、効果が見られなかったりするという問題点が起こる。
本発明は、前記実状に鑑みてなされたものであり、その目的は、紫外線ランプを用いた軽量、且つ、頑丈で、さらに、安全に使用することのできるコンパクトタイプのハンディ型除菌器を提供することである。
【課題を解決するための手段】
【０００５】
前記目的を達成するための本発明にかかる紫外線ランプを用いた軽量、且つ、頑丈で、さらに、安全に使用することのできるコンパクトタイプのハンディ型除菌器において、紫外線除菌ユニットは、波長253.7nm の「C波（UV-C）」で、放射照度 2500μW/平方cm以上 ランプ電力 4Wの紫外線ランプを使用し、軽量、且つ、頑丈な樹脂素材でケースを形成し、紫外線ランプ付帯する側に人感（温度）センサーや時限タイマーが具備し作用して、安全に使用するように構成したことを特徴とするものである。この機構によると、例えば、前記ハンディ型除菌器を使用する際、被殺菌対象と近接させすぎると、人感（温度）センサーの働きで、電源ＯＦＦにすることができ、また、紫外線ランプの照射時間を長くしすぎたりして、低温火傷おこしそうなとき、時限タイマーの働きで、電源ＯＦＦにすることができ、火傷を防ぐことができる。
【発明の効果】
【０００６】
１）収納しやすく、どこでも使えるコンパクトなハンディタイプ。
２）時限タイマーを付帯の自動オフ機能搭載。
３）人感（温度）センサーを付帯して、近づけ過ぎによる火傷を防ぐ。
４）紫外線ランプを直視しない設計工夫により目を傷めない。
５）PCキーボードやマウス等を濡らすことなく除菌することができる。
６）歯ブラシやおもちゃ等を除菌するとともに、消臭することもできる。
【図面の簡単な説明】
【０００７】
【図１】本実施形態にかかる、紫外線ランプを用いたコンパクトタイプのハンディ型除菌器を示す斜視図
【図２】本実施形態にかかる、右側面図
【図３】本実施形態にかかる、正面図
【図４】本実施形態にかかる、上面図
【図５】本実施形態にかかる、背面図
【図６】本実施形態にかかる、紫外線ランプを用いたコンパクトタイプのハンディ型除菌器を示す機構ユニット斜視図
【発明を実施するための形態】
【０００８】
本発明にかかる紫外線ランプを用いた軽量、且つ、頑丈で、さらに、安全に使用することのできるコンパクトタイプのハンディ型除菌器を特徴とするハンディ型除菌器の好適な実施形態を図面を用いて説明する。
図１は、紫外線ランプを用いたコンパクトタイプのハンディ型除菌器を示す斜視図である。
【０００９】
このコンパクトタイプのハンディ型除菌器Jは、本体ケースK内に、紫外線ランプ
Rと、人感（温度）センサーSと、時限タイマーを付帯する回路基板Mと、電源（電池）部Eから成り、正面開口部には紫外線照射口１を設け、それに付帯するスライド式ＯＮ／ＯＦＦスイッチゲート板２、さらに、上面後方に電池蓋３を付帯することから成る。
【００１０】
図２は、本実施形態にかかる、右側面図である。
左側面図は、右側面図と対象に表れるので省略する。
【００１１】
図３は、本実施形態にかかる、正面開口部を設けた正面図である。
【００１２】
図４は、本実施形態にかかる、後方に電池蓋３を付帯することから成る上面図である。
【００１３】
図５は、本実施形態にかかる、背面図である。
【００１４】
次に、本実施形態にかかるコンパクトタイプのハンディ型除菌器Jの作用を説明する。図６は、前記ハンディ型除菌器Jに内装された紫外線ランプRに付帯する人感（温度）センサーS、その裏面に位置する時限タイマーを付帯する回路基板M、その後方に、電源（電池）部Eがある。
前記ハンディ型除菌器Jを使用する際、スライド式ＯＮ／ＯＦＦスイッチゲート板２をスライドさせて、開口すると、ONになり、被殺菌対象と近接させると、除菌される。
近接させすぎると、人感（温度）センサーSが働いて、OFFになる。また、紫外線ランプの照射時間を長ければ、時限タイマーを付帯する回路基板Mが働いて、OFFになる。
コンパクトタイプのハンディ型除菌器Jをより安全に使用することができる。また、本実施形態では、ハンディ型除菌器の大きさ、形状については、制約があれば適宜設計変更可能である。
【符号の説明】
【００１５】
J      コンパクトタイプのハンディ型除菌器
１      紫外線照射口
２      スライド式ＯＮ／ＯＦＦスイッチゲート板
３      電池蓋
Ｅ      電源（電池）部
Ｋ      本体ケース
Ｍ      時限タイマーを付帯する回路基板
Ｒ      紫外線ランプ
Ｓ      人感（温度）センサー
【図１】
2017176291.tif 000003
【図２】
2017176291.tif 000004
【図３】
2017176291.tif 000005
【図４】
2017176291.tif 000006
【図５】
2017176291.tif 000007
【図６】
2017176291.tif 000008